(57)【要約】【課題】  乾燥装置を提供する。【解決手段】  上方に加圧フード（４）が配置された、紙、板紙、薄紙または他の繊維ウェブ（２）を乾燥する加熱乾燥シリンダ（３）を含み、乾燥シリンダ（３）と加圧フード（４）との間に繊維ウェブ（２）を案内可能である乾燥装置（１）であって、乾燥シリンダ（３）に繊維ウェブ（２）を乾燥シリンダ（３）の円周面から取り外し易くする手段が備えられていることにより特徴付けられる乾燥装置（１）。【選択図】      図１
2005300143.tif 000002
【特許請求の範囲】
【請求項１】
上方に加圧フード（４）が配置された、紙、板紙、薄紙または他の繊維ウェブ（２）を乾燥する加熱乾燥シリンダ（３）を含み、前記乾燥シリンダ（３）と前記加圧フード（４）との間に前記繊維ウェブ（２）を案内可能である乾燥装置（１）であって、
前記乾燥シリンダ（３）に前記繊維ウェブ（２）を前記乾燥シリンダ（３）の円周面から取り外し易くする手段が備えられている
ことを特徴とする乾燥装置（１）。
【請求項２】
前記手段が多孔質コーティング、特にセラミック層（１０）である
ことを特徴とする請求項１に記載の乾燥装置（１）。
【請求項３】
前記手段が疎水性媒体である
ことを特徴とする請求項１または２に記載の乾燥装置（１）。
【請求項４】
前記媒体を前記乾燥シリンダ（３）の円周面上に塗布する塗布ユニット、特に噴霧装置（１１）が前記乾燥シリンダ（３）の下側に配置されている
ことを特徴とする請求項３に記載の乾燥装置（１）。
【請求項５】
前記手段が、繊維ウェブ（２）を前記乾燥シリンダ（３）の円周面から、前記繊維ウェブ（２）と一緒に前記乾燥シリンダ（３）の周囲に案内される布（５）の表面上に吸引する吸引装置（１４、１５）である
ことを特徴とする請求項１または２に記載の乾燥装置（１）。
【請求項６】
前記吸引装置（１４）が２つの出力側案内ロール（１２、１３）の間に取り付けられており、その２つの出力側案内ロール（１２、１３）が前記乾燥シリンダ（３）に対向して設置されているとともに、いずれの場合も前記乾燥シリンダ（３）上を導かれる布（５、６）を前記乾燥シリンダ（３）の円周面から離れるように案内する
ことを特徴とする請求項５に記載の乾燥装置（１）。
【請求項７】
前記吸引装置（１５）が案内ロール（１７）のロールシェル（１６）内の静止吸引ゾーンの形状で案内ロール（１７）内に一体化され、前記ロールシェル（１６）が前記吸引ゾーンの周囲を回転し、さらに前記案内ロール（１７）が前記繊維ウェブ（２）およびその直上にある布（５）の両方を前記乾燥シリンダ（３）の円周面から離れるように導く
ことを特徴とする請求項５に記載の乾燥装置（１）。
【請求項８】
前記繊維ウェブ（２）が前記乾燥シリンダ（３）から取り外される領域に、前記繊維ウェブ（２）内に蒸気泡を製造する手段がある
ことを特徴とする請求項１〜７のいずれか一項に記載の乾燥装置（１）。
【請求項９】
前記手段が布（５）および／または繊維ウェブ（２）用の案内ロール（１７）の回転ロールシェル（１６）内に配置された静止熱源（１５）である
ことを特徴とする請求項８に記載の乾燥装置（１）。
【発明の詳細な説明】
【技術分野】
【０００１】
上方に加圧フードが配置された、紙、板紙、薄紙または他の繊維ウェブを乾燥する加熱乾燥シリンダを含み、乾燥シリンダと加圧フードとの間に繊維ウェブを案内可能である乾燥装置に関する。
【背景技術】
【０００２】
（特許文献１）は連続して多孔質ウェブを乾燥する乾燥装置を開示している。この乾燥装置は乾燥シリンダを含み、この乾燥シリンダの円周面の少なくとも３分の２にウェブが巻き付いている。複数の回転ロールが冷媒を散布するノズルに隣接してシリンダの上側に配置されており、上記回転ロールはいずれもその内部に乾燥シリンダに対して接触圧力をかける液圧ユニットを有している。
【０００３】
（特許文献２）は紙、板紙等で製造されたウェブを乾燥する方法および装置を記載している。ウェブは水および蒸気を吸収する中間ベルトと接触しつつ、乾燥領域に達する前に通気処理にかけられる。中間ベルトは乾燥領域においてシリンダの周囲に案内される。ウェブはシリンダの周囲を循環中は金属ベルトに覆われている。金属ベルトはシリンダから離れた後、帰還ループを乾燥領域へと戻される。中間ベルトはシリンダから離れた後、凝縮水が除去される。ウェブは中間ベルトと金属ベルトとの間でシリンダの周囲に案内されるが、そのシリンダは冷却されている。金属ベルトは帰還ループで加熱され、加熱金属ベルトは直接接してシリンダの周囲に延びるウェブの外側を加熱する。
【０００４】
繊維ウェブが乾燥シリンダの周囲に案内される際に乾燥シリンダに関して繊維ウェブにかかる大きな圧力のため、上記乾燥シリンダの円周面との間に非常に密接かつ密着性接続が生じる。その結果繊維ウェブをその表面から離して後続の組立体に移送する際、繊維ウェブを強い力で円周面から引っ張らなくてはならない。またウェブを引き裂く恐れもある。
【０００５】
【特許文献１】欧州特許第０９４９３７７Ａ２号明細書
【特許文献２】独国特許発明第３５３２８５３Ｃ２号明細書
【発明の開示】
【発明が解決しようとする課題】
【０００６】
本発明の目的は後続の組立体への繊維ウェブの移送を容易にすることである。
【課題を解決するための手段】
【０００７】
本発明によればこの目的は導入部で述べた種類の乾燥装置において、乾燥シリンダに繊維ウェブを乾燥シリンダの円周面から取り外し易くする手段を備えることにより達成される。本発明は繊維ウェブの乾燥シリンダの円周面への付着をなくす。
【０００８】
本発明の有利な成果はサブクレーム、明細書および図面により明らかになろう。
【０００９】
本発明の１つの有利な実施形態において多孔質コーティング、特にセラミック層である手段が設けられている。平滑コーティングに比べて多孔質コーティングの表面積が小さいため、表面とその上にある材料層との間の付着力も減少する。この目的を達成するために特に好適なものはセラミックの場合のようにすでにそれ自体が一定の多孔率を有する材料である。
【００１０】
代替例としてまたは追加的に疎水性流体、例えば石油を塗布してもよい。繊維ウェブは水性スラリーから製造され、水分を含有するため親水性である。従ってシリンダの表面が疎水化されている場合には、繊維ウェブを乾燥シリンダから取り外す助けになる。
【００１１】
一実施形態において、乾燥シリンダの下側の疎水性流体は、塗布ユニット、例えば噴霧装置により乾燥シリンダの円周面上に塗布または散布される。乾燥シリンダには、案内または偏向ロール間で乾燥シリンダの下方の領域において自在にアクセス可能であり、案内または偏向ロールを介して布および繊維ウェブは乾燥シリンダの上にさらに乾燥シリンダの下から案内されるため、その結果噴霧装置をそこに配置することができる。
【００１２】
代替例として、繊維ウェブを乾燥シリンダの円周面から、繊維ウェブと一緒に乾燥シリンダの周囲に案内される布の表面上に吸引する吸引装置を設けることにより繊維ウェブの取り外しを補助することもできる。
【００１３】
特に吸引装置が２つの出力側案内ロールの間に取り付けられており、その２つの出力側案内ロールが乾燥シリンダに対向して設置されているとともに、いずれの場合も乾燥シリンダ上を導かれる布をその乾燥シリンダの円周面から離れるように案内する。
【００１４】
しかし、吸引装置を案内ロールのロールシェル内の静止吸引ゾーンの形状で案内ロール内に一体化することもできる。ロールシェルは吸引ゾーンの周囲を回転する。ここで案内ロールは繊維ウェブおよびその直上にある布の両方を乾燥シリンダの円周面から離れるように導く。
【００１５】
さらなる有利な対策は、繊維ウェブが乾燥シリンダから取り外される領域に、繊維ウェブ内に蒸気泡を製造する手段があることである。この手段は好適には布または繊維ウェブ用の案内ロールの回転ロールシェル内に配置された静止熱源である。
【００１６】
熱源も２つの案内ロールの間に取り付けられた吸引装置と同様に、布および繊維ウェブが乾燥シリンダの円周面を離れる側で、２つの案内ロールの間の領域内に配置することができる。
【００１７】
本発明を例示的実施形態における以下の本文において図面を用いてさらに詳細に説明する。
【発明を実施するための最良の形態】
【００１８】
繊維ウェブ２を製造する機械内の乾燥装置１（図１）は加熱可能な乾燥シリンダ３を備えている。乾燥シリンダ３から放出された熱を吸収するために、乾燥シリンダ３は上側が、内部に冷却媒体が流れてフード４に囲まれている。乾燥シリンダ３は繊維ウェブ２を加熱し、それと同時に繊維ウェブ２から水分が取り除かれる。繊維ウェブ２が放出した水分は、乾燥シリンダ３の周囲を繊維ウェブ２と一緒に移動可能な細目布５により吸収され、さらに粗目布６がその上方にある。上部布６と加圧フード４との間に不透過性布７が延び、その不透過性布７は水分の流出を防止するとともに加圧フード４に対する封止作用をもたらすため、加圧フード４内を流れる媒体が横壁と布７との間に流出することもない。
【００１９】
加圧フード４の代わりに他の組立体、例えば加熱乾燥シリンダ３、布５、６および布７と共に繊維ウェブ２から水分を除去する役目を果たすロールまたはプレスシューをシリンダ３の上方に配置することもできる。またロールまたはプレスシュー内またはその間に冷却組立体、例えば媒体が流れる冷却管があってもよい。
【００２０】
さらに乾燥シリンダ３自体の重量および加圧フード４の重量に抗して乾燥シリンダ３を支持する２つの偏向ロールまたは案内ロール８、９が乾燥シリンダ３の下方に取り付けられている。しかし、支持ロール８、９はとりわけウェブ２、布５、６および布７に対する案内機能を有し、それらは案内ロール８、９の周囲に案内される。
【００２１】
繊維ウェブ２は乾燥シリンダ３の表面に強く付着しやすいため、上記乾燥シリンダ３の表面はセラミック層１０で形成されている。このセラミック層１０は繊維ウェブ２の取り外しを容易にするために、好適には多孔質かつ０．４〜４．５μｍ、好適には０．４〜０．７μｍの粗度を有する。さらなる対策は、乾燥シリンダ３の表面近辺で２つの案内ロール８、９の間で乾燥シリンダ３の下側に位置する噴霧装置１１が疎水性媒体を噴霧することである。噴霧装置１１の代わりに、例えばロールまたはドクターにより媒体を塗布することもできる。
【００２２】
本発明のさらなる改良点において（図２）、上述の対策に加えてまたは代替例として２つの追加案内ロール１２、１３を、乾燥シリンダ３の繊維ウェブ２が再び取り外される側で乾燥シリンダ３に対向して設置する。布５は案内ロール１２上に延びる一方、布６および布７は案内ロール１３上を案内される。
【００２３】
布５を介して繊維ウェブ２を乾燥シリンダ３から吸引する吸引装置１４が、２つの案内ロール１２、１３の間で乾燥シリンダ３の表面に取り付けられている。繊維ウェブ２が非常に強力な吸引力によって布５に対して強く吸引されることを防止するために、吸引装置１４は布５に対して中程度の吸引力を生じるが、この吸引力は繊維ウェブ２を確実に乾燥シリンダ３から解放するのに十分である。
【００２４】
本発明のさらなる改良点において（図３）、吸引装置１４に加えてまたは代替例として、吸引装置１５が案内ロール１７のロールシェル１６内の固定位置に取り付けられている。このロールシェル１６は同時に吸引ロールとして構成されている。上記の吸引装置１５は上記繊維ウェブ２上を搬送される布５と一緒に繊維ウェブ２を乾燥シリンダ３から吸引する。その後布５および繊維ウェブ２は機械の後続組立体においてのみ互いに分離される。布６および布７は乾燥シリンダ３から離れて案内ロール１３上を案内される。
【００２５】
また繊維ウェブ２の乾燥シリンダ３からの取り外しを促進する上述の対策はすべて互いに組み合わせて用いることができる。
【図面の簡単な説明】
【００２６】
【図１】上側に加圧フード４を備えかつ噴霧装置１１が対向して設置されている乾燥シリンダ３を含む乾燥装置を通る断面を示す。
【図２】２つの案内ロール１２、１３間に吸引装置１４が取り付けられている乾燥装置を通る断面を示す。
【図３】案内ロール１７内に吸引装置１５が追加的に一体化されたさらなる乾燥装置を通る断面を示す。
【符号の説明】
【００２７】
１  乾燥装置
２  繊維ウェブ
３  （加熱）乾燥シリンダ
４  加圧フード
５  布
６  布
７  布
８  案内ロール
９  案内ロール
１０  セラミック層
１１  噴霧装置
１２  出力側案内ロール
１３  出力側案内ロール
１４  吸引装置
１５  吸引装置／静止熱源
１６  （回転）ロールシェル
１７  案内ロール
【図１】
2005300143.tif 000003
【図２】
2005300143.tif 000004
【図３】
2005300143.tif 000005